(57)【要約】【課題】アルバム全体が同一のとれた電子アルバムテンプレートを選択する電子アルバムテンプレート選択システム，電子アルバムテンプレート選択方法，電子アルバムテンプレート選択プログラムおよびそのプログラムを格納した記録媒体を提供する。【解決手段】電子アルバムテンプレート20に規定されている画像貼付領域Ａ11からＡ45には，貼り付けられる画像に適した属性が規定されている。画像貼付領域の属性と画像の属性との一致度の総和が電子アルバムテンプレート20の全体で高くなるような電子アルバムテンプレートが選択される。選択された電子アルバムテンプレート20が用いられると，ページごとではなく全体としてバランスの取れた電子アルバムが生成される。【選択図】図２
2017058996.tif 000002
【特許請求の範囲】
【請求項１】
複数のページテンプレートから構成され，それぞれの上記ページテンプレートには画像貼付領域が規定されており，かつ少なくとも１つの上記画像貼付領域には貼り付けられる画像の属性が規定される電子アルバムテンプレートについて，上記画像貼付領域の属性と上記画像貼付領域に貼り付けられる画像の属性との一致度を電子アルバムテンプレートに規定されている上記複数の画像貼付領域について算出し，かつ算出した一致度の総和を算出する属性一致度算出手段，
上記属性一致度算出手段における上記総和の算出処理を，複数の上記電子アルバムテンプレートについて行う算出処理制御手段，および
上記算出処理制御手段の制御のもとに算出された総和が大きい順に１または２以上の電子アルバムテンプレートを選択する電子アルバムテンプレート選択手段，
を備えた電子アルバムテンプレート選択システム。
【請求項２】
上記属性一致度算出手段は，
電子アルバムテンプレートのページ順と画像の撮影順とを一致させて上記画像貼付領域の属性と上記画像貼付領域に貼り付けられる画像の属性との一致度を算出する，
請求項１に記載の電子アルバムテンプレート選択システム。
【請求項３】
上記複数の上記画像貼付領域に貼り付ける複数の画像を，撮影順にしたがって，上記複数のページテンプレートの数に対応する複数グループに分類し，上記複数のページテンプレートの数に対応するグループに含まれる画像の属性と上記画像貼付領域の属性との一致度を算出する，
請求項１に記載の電子アルバムテンプレート選択システム。
【請求項４】
上記電子アルバムテンプレート選択手段によって選択された１または２以上の電子アルバムテンプレートのうち，少なくとも１つの電子アルバムテンプレートを指定する電子アルバムテンプレート指定手段，
上記電子アルバムテンプレート指定手段によって指定された少なくとも１つの電子アルバムテンプレートに対応する装飾を行なう１または２以上の装飾様式を表示する装飾様式表示手段，
上記装飾様式表示手段によって表示された装飾様式の中から１の装飾様式の指定を受け付ける装飾様式受付手段，および
上記装飾様式受付手段によって受け付けた装飾様式で，上記電子アルバムテンプレート指定手段によって指定された電子アルバムテンプレートを装飾する装飾手段，
をさらに備えた請求項１から３のうち，いずれか一項に記載の電子アルバムテンプレート選択システム。
【請求項５】
上記属性一致度算出手段は，
上記画像と上記画像貼付領域との組み合わせを変更して，上記画像の属性と上記画像貼付領域の属性との一致度を算出する処理を複数の電子アルバムテンプレートについて行なう，
請求項１から４のうち，いずれか一項に記載の電子アルバムテンプレート選択システム。
【請求項６】
上記画像の画質が良好なほど，上記一致度を高くする，
請求項１から５のうち，いずれか一項に記載の電子アルバムテンプレート選択システム。
【請求項７】
属性一致度算出手段が，複数のページテンプレートから構成され，それぞれの上記ページテンプレートには画像貼付領域が規定されており，かつ少なくとも１つの上記画像貼付領域には貼り付けられる画像の属性が規定される電子アルバムテンプレートについて，上記画像貼付領域の属性と上記画像貼付領域に貼り付けられる画像の属性との一致度を電子アルバムテンプレートに規定されている複数の上記画像貼付領域について算出し，かつ算出した一致度の総和を算出し，
算出処理制御手段が，上記属性一致度算出手段における上記総和の算出処理を，複数の上記電子アルバムテンプレートについて行わせ，
電子アルバムテンプレート選択手段が，上記算出処理制御手段の制御のもとに算出された総和が大きい１または２以上の電子アルバムテンプレートを選択する，
電子アルバムテンプレート選択方法。
【請求項８】
電子アルバムテンプレート選択システムのコンピュータを制御するコンピュータが読み取り可能なプログラムであって，
複数のページテンプレートから構成され，それぞれの上記ページテンプレートには画像貼付領域が規定されており，かつ少なくとも１つの上記画像貼付領域には貼り付けられる画像の属性が規定される電子アルバムテンプレートについて，上記画像貼付領域の属性と上記画像貼付領域に貼り付けられる画像の属性との一致度を電子アルバムテンプレートに規定されている複数の上記画像貼付領域について算出させ，かつ算出された一致度の総和を算出させ，
上記一致度の総和の算出処理を，複数の上記電子アルバムテンプレートについて行わせ，
算出された総和が大きい１または２以上の電子アルバムテンプレートを選択させるように電子アルバムテンプレート選択システムのコンピュータを制御するコンピュータが読み取り可能なプログラム。
【請求項９】
請求項８に記載のプログラムを格納した記録媒体。
【発明の詳細な説明】
【技術分野】
【０００１】
この発明は，電子アルバムテンプレート選択システム，電子アルバムテンプレート選択方法，電子アルバムテンプレート選択プログラムおよびそのプログラムを格納した記録媒体に関する。
【背景技術】
【０００２】
結婚式などのイベントにおいては，多くの画像が撮影されることから，その多数の画像の中からアルバムに利用する画像を選択するのは比較的困難な作業となってしまう。このために，画像により表されるシーンの特徴量を算出し，複数の画像をイベントのシーンごとの画像グループに分類し，イベントにおけるシーンの出現順に並べるものがある（特許文献１）。また，複数のレイアウトを使用させる場合に，類似したレイアウトが連続しないようにするもの（特許文献２），レイアウト全体として整合をとれるようにするもの（特許文献３），配置する画像に合ったテンプレートを選択するもの（特許文献４）などもある。さらに，テンプレートなどに画像を合成する場合に，装飾画像と調和できるようにするものもある（特許文献５）。
【先行技術文献】
【特許文献】
【０００３】
【特許文献１】特許第4315344号
【特許文献２】特開2014-16816号公報
【特許文献３】特開2014-16800号公報
【特許文献４】特許第4762827号
【特許文献５】特開2005-94424号公報
【発明の概要】
【発明が解決しようとする課題】
【０００４】
特許文献１に記載のものは，イベントのシーンごとに画像を並べるにすぎない。また，特許文献２，３，４に記載のものにおいても，一つのテンプレートについてのみ考えられているにすぎない。さらに，特許文献５においては，テンプレートに合成する画像と装飾画像とのバランスを考えるにすぎない。特許文献１から５のいずれにおいても，複数の画像を利用してアルバムを生成する場合に，全体のバランスを考慮することは考えられていない。
【０００５】
この発明は，複数の画像を利用して全体のバランスが取れたアルバムを生成することを目的とする。
【課題を解決するための手段】
【０００６】
この発明による電子アルバムテンプレート選択システムは，複数のページテンプレートから構成され，それぞれのページテンプレートには画像貼付領域が規定されており，かつ少なくとも１つの画像貼付領域には貼り付けられる画像の属性が規定される電子アルバムテンプレートについて，画像貼付領域の属性と画像貼付領域に貼り付けられる画像の属性との一致度を電子アルバムテンプレートに規定されている複数の画像貼付領域について算出し，かつ算出した一致度の総和を算出する属性一致度算出手段，属性一致度算出手段における総和の算出処理を，複数の電子アルバムテンプレートについて行う算出処理制御手段，および算出処理制御手段の制御のもとに算出された総和が大きい順に１または２以上の電子アルバムテンプレートを選択する電子アルバムテンプレート選択手段を備えていることを特徴とする。
【０００７】
この発明は，電子アルバムテンプレート選択システムに適した電子アルバムテンプレート選択方法についても提供している。すなわち，この方法は，属性一致度算出手段が，複数のページテンプレートから構成され，それぞれのページテンプレートには画像貼付領域が規定されており，かつ少なくとも１つの画像貼付領域には貼り付けられる画像の属性が規定される電子アルバムテンプレートについて，画像貼付領域の属性と画像貼付領域に貼り付けられる画像の属性との一致度を電子アルバムテンプレートに規定されている複数の画像貼付領域について算出し，かつ算出した一致度の総和を算出し，算出処理制御手段が，属性一致度算出手段における総和の算出処理を，複数の電子アルバムテンプレートについて行わせ，電子アルバムテンプレート選択手段が，算出処理制御手段の制御のもとに算出された総和が大きい１または２以上の電子アルバムテンプレートを選択するものである。
【０００８】
この発明は，電子アルバムテンプレート選択システムのコンピュータを制御するコンピュータが読み取り可能なプログラムおよびそのようなプログラムを格納した記録媒体も提供している。
【０００９】
属性一致度算出手段は，たとえば，電子アルバムテンプレートのページ順と画像の撮影順とを一致させて画像貼付領域の属性と画像貼付領域に貼り付けられる画像の属性との一致度を算出する。
【００１０】
複数の画像貼付領域に貼り付ける複数の画像を，撮影順にしたがって，複数のページテンプレートの数に対応する複数グループに分類し，複数のページテンプレートの数に対応するグループに含まれる画像の属性と画像貼付領域の属性との一致度を算出するようにしてもよい。
【００１１】
電子アルバムテンプレート選択手段によって選択された１または２以上の電子アルバムテンプレートのうち，少なくとも１つの電子アルバムテンプレートを指定する電子アルバムテンプレート指定手段，電子アルバムテンプレート指定手段によって指定された少なくとも１つの電子アルバムテンプレートに対応する装飾を行なう１または２以上の装飾様式を表示する装飾様式表示手段，装飾様式表示手段によって表示された装飾様式の中から１の装飾様式の指定を受け付ける装飾様式受付手段，および装飾様式受付手段によって受け付けた装飾様式で，電子アルバムテンプレート指定手段によって指定された電子アルバムテンプレートを装飾する装飾手段をさらに備えてもよい。
【００１２】
属性一致度算出手段は，たとえば，画像と画像貼付領域との組み合わせを変更して，画像の属性と画像貼付領域の属性との一致度を算出する処理を複数の電子アルバムテンプレートについて行なう。
【００１３】
画像の画質が良好なほど，一致度を高くするようにしてもよい。
【発明の効果】
【００１４】
この発明によると，電子アルバムテンプレートは複数のページテンプレートから構成されている。ページテンプレートには，画像貼付領域が規定されており，電子アルバムテンプレートの少なくとも１つの画像貼付領域には，貼り付けられる画像の属性が規定されている。そのような電子アルバムテンプレートについて，画像貼付領域の属性と，その画像貼付領域に貼り付けられる画像の属性との一致度の総和が算出される。総和算出処理は，複数の電子アルバムテンプレートについて行われ，算出された総和が大きい１または２以上の電子アルバムテンプレートが選択される。このようにして選択された電子アルバムテンプレートの画像貼付領域に，総和が大きいときの画像と画像貼付領域との対応関係に合うように，画像貼付領域に画像が貼り付けられることにより，全体としてバランスの取れた電子アルバムが生成される。
【図面の簡単な説明】
【００１５】
【図１】電子アルバムテンプレート選択システムの電気的構成を示すブロック図である。
【図２】電子アルバムテンプレートの一例である。
【図３】画像貼付領域属性テーブルの一例である。
【図４】電子アルバムテンプレート選択システムの処理手順を示すフローチャートである。
【図５】電子アルバムテンプレート選択システムの処理手順を示すフローチャートである。
【図６】電子アルバムテンプレート選択システムの処理手順を示すフローチャートである。
【図７】画像の一例である。
【図８】表示装置の表示画面の一例である。
【図９】表示装置の表示画面の一例である。
【図１０】画像をグループに分けた様子を示している。
【図１１】属性一致度テーブルの一例である。
【図１２】表示装置の表示画面の一例である。
【図１３】表示装置の表示画面の一例である。
【図１４】生成された電子アルバムの一例である。
【発明を実施するための形態】
【００１６】
図１は，この発明の実施例を示すもので，電子アルバムテンプレート選択システム１の電気的構成を示すブロック図である。
【００１７】
電子アルバムテンプレート選択システム１の全体の動作は，ＣＰＵ(Central Processing Unit)２によって統括される。
【００１８】
電子アルバムテンプレート選択システム１には，選択された電子アルバムテンプレートを表示画面に表示する表示装置３，データ等を記憶するメモリ４，およびコンパクトディスク５に記録されているデータ等にアクセスするＣＤ（Compact Disc）ドライブ６が含まれている。また，電子アルバムテンプレート選択システム１には，画像を表す画像ファイルが格納されているメモリカード８から画像ファイルを読み取り，かつメモリカード８に画像ファイルを記録するメモリカードリーダライタ７，および電子アルバムテンプレート選択システム１に各種コマンドを与える入力装置９も含まれている。さらに，電子アルバムテンプレート選択システム１には，ＨＤ（ハードディスク）11，ＨＤ11にアクセスするＨＤ（hard disk）ドライブ10，他のコンピュータ等と通信するための通信装置12，およびタイマ13も含まれている。
【００１９】
メモリカード８が電子アルバムテンプレート選択システム１に装填され，画像ファイルがメモリカードリーダライタ７によって読み取られると，後述のように読み取られた画像ファイルによって表される画像を貼り付けて電子アルバムを生成するのに適した電子アルバムテンプレートが選択される。メモリカード８に限らず，コンパクトディスク５やその他の媒体に画像ファイルが格納されている場合には，その媒体に格納されている画像ファイルが読み取られる。電子アルバムテンプレート選択システム１には，媒体に格納されている画像ファイルを読み取るのに適した読み取り装置が設けられることとなろう。また，インターネットなどのようなネットワークを介して画像ファイルが電子アルバムテンプレート選択システム１に与えられる場合には，画像ファイルが通信装置12によって受信され，受信された画像ファイルがメモリ４に与えられ，記憶される。そのようにして記憶された画像ファイルによって表される画像が貼り付けられるのに適した電子アルバムテンプレートが選択される。
【００２０】
コンパクトディスク５(記録媒体)には，後述する処理を制御するための電子アルバムテンプレート選択システム１のＣＰＵ２（コンピュータ）が読み取り可能なプログラムが格納されている。コンパクトディスク５が電子アルバムテンプレート選択システム１に装填されることにより，コンパクトディスク５に格納されているプログラムが電子アルバムテンプレート選択システム１にインストールされる。プログラムは，インターネットのようなネットワークを介して送信されてもよい。通信装置12によってプログラムが受信され，受信されたプログラムが電子アルバムテンプレート選択システム１にインストールされる。
【００２１】
図２は，電子アルバムテンプレートの一例である。
【００２２】
ＨＤ11には，多数の電子アルバムテンプレートが格納されており，その中の一例として電子アルバムテンプレート20が図２に示されている。
【００２３】
電子アルバムテンプレート20は(ＨＤ11に格納されている他の電子アルバムテンプレートについても同様である)，３つの(複数の)ページテンプレート21，22および23から構成されている。２つまたは４つ以上のページテンプレートから電子アルバムテンプレート20が構成されるようにしてもよい。ページテンプレート21，22および23は見開きの２ページを１つのページと捉え，ページテンプレート21，22または23としているが，見開きの２ページの左側または右側のページをページテンプレートとしてもよい。見開きの２ページの左側または右側のページをページテンプレートと捉えると，電子アルバムテンプレートは６つのページテンプレートから構成される。
【００２４】
ページテンプレート21には，画像貼付領域Ａ11からＡ17の７つの画像貼付領域が規定されている。ページテンプレート22には，画像貼付領域Ａ21からＡ32までの12個の画像貼付領域が規定されている。ページテンプレート23には，画像貼付領域Ａ41からＡ45までの５つの画像貼付領域が規定されている。このように，ページテンプレート21，22および23のそれぞれには，複数(１つでもよい)の画像貼付領域Ａ11からＡ17，Ａ21からＡ32およびＡ41からＡ45が規定されている。
【００２５】
これらの画像貼付領域Ａ11からＡ17，Ａ21からＡ32およびＡ41からＡ45のそれぞれには，属性が付与されている。
【００２６】
図３は，電子アルバムテンプレート20についての画像貼付領域属性テーブルの一例である。画像貼付領域属性テーブルは，ＨＤ11に格納されている。
【００２７】
画像貼付領域属性テーブルには，ページテンプレートに対応して，ページテンプレートに含まれている画像貼付領域の識別データ(画像貼付領域の符号を識別データとしている)が格納されている。また，画像貼付領域の識別データに対応して，画像貼付領域の識別データによって特定される画像貼付領域に付与されている属性も格納されている。たとえば，ページテンプレート21に含まれる画像貼付領域Ａ11の属性として，「２人」，「男女」，「ドレス」，「階段」，「屋外」などが格納されている。ページテンプレートに規定されている複数の画像貼付領域のすべてに属性が規定されている必要はなく，少なくとも１つの画像貼付領域に属性が規定されていればよい。たとえば，ページテンプレート21に規定されている複数の画像貼付領域Ａ11からＡ17のうち，少なくとも１つの画像貼付領域に属性が規定されている。また，ページテンプレート22に規定されている複数の画像貼付領域Ａ21からＡ32のうち，少なくとも１つの画像貼付領域に属性が規定されている。同様に，ページテンプレート23に規定されている複数の画像貼付領域Ａ41からＡ45のうち，少なくとも１つの画像貼付領域に属性が規定されている。もっとも，電子アルバムテンプレート20に規定されている複数の画像貼付領域Ａ11からＡ45のうち，少なくとも１つの画像貼付領域に属性が付与されていればよい。画像貼付領域に付与されている属性は，そのような属性をもつ画像が貼り付けられることが適することを示している。たとえば，画像貼付領域Ａ11であれば，被写体が「２人」であり，「男女」であり，「ドレス」を着ており，「階段」におり，「屋外」にいるような画像が貼り付けられることが適していることが，画像貼付領域Ａ11の属性によって示されている。
【００２８】
図３に示す画像貼付領域属性テーブルは，図２に示す電子アルバムテンプレート20についてのものであるが，電子アルバムテンプレート選択システム１のＨＤ11に格納されている他の電子アルバムテンプレートについても同様の画像貼付領域属性テーブルがＨＤ11に格納されている。
【００２９】
図４から図６は，電子アルバムテンプレート選択システム１の処理手順を示すフローチャートである。
【００３０】
電子アルバムテンプレートに貼り付ける画像(画像ファイル)が格納されているメモリカード８(画像が格納されていればメモリカード８以外の媒体でもよいし，ネットワークからダウンロードしてもよい)が，電子アルバムテンプレート選択システム１に装填される。すると，メモリカードリーダライタ７によってメモリカード８に格納されている画像が読み取られ，ＣＰＵ２によって画像解析が行われる(ステップ31)。画像解析によって画像に含まれる被写体の種類，シーンなどの被写体情報が得られる。また，被写体が人物であれば，その人数，性別，身に着けているものなどの被写体情報が得られる。得られた被写体情報が画像の属性として画像に付与される(ステップ32)。たとえば，画像を表す画像ファイルのヘッダに格納されることにより，画像の属性が画像に付与されることとなる。もちろん，画像ファイルのヘッダに属性が格納されていれば，画像解析は必ずしも必要ではない。属性は画像ファイルのヘッダに格納されていなくともよい。属性が画像とは別に存在している場合であっても，画像に対応して，たとえば，メモリカード８にテーブルのような形態で格納されていてもよい。
【００３１】
図７は，メモリカード８に格納されている画像の一例である。
【００３２】
図７には，画像Ｉ１から画像Ｉ８が図示されているが，さらに多くの画像がメモリカード８に格納されている。図７においては，画像Ｉ１から画像Ｉ８のそれぞれの横に画像の属性が示されている。これらの画像の属性は画像解析によって得られたものである。たとえば，画像Ｉ１の画像の属性は，「２人」，「男女」，「ドレス」，「屋外」などである。
【００３３】
画像に属性が付与されると，電子アルバムテンプレート選択システム１の表示装置３には，複数の電子アルバムのテーマを選択するアルバムテーマ選択画面が表示される。
【００３４】
図８は，アルバムテーマ選択画面の一例である。
【００３５】
アルバムテーマには，「結婚式」，「入学式」，「卒業式」，「運動会」などがある。表示装置３の表示画面50には，「結婚式」の文字が表されているボタンＢ１，「入学式」の文字が表されているボタンＢ２，「卒業式」の文字が表されているボタンＢ３，および「運動会」の文字が表されているボタンＢ４が表示されている。ユーザは，ボタンＢ１からＢ４のうち，いずれかのボタンを，入力装置９を用いてクリックすることにより，そのクリックしたボタンによって特定されるアルバムテーマを選択する(図４ステップ33)。この実施例では，テーマとして「結婚式」が選択されたものとする。他のテーマが選択されてもよいのはいうまでもない。また，図８に現れていないアルバムテーマを選択できるようにしてもよい。アルバムテーマが選択されると，電子アルバムテンプレート選択システム１の表示装置３には，アルバム特性を選択するアルバム特性選択画面が表示される。
【００３６】
図９は，アルバム特性選択画面の一例である。
【００３７】
アルバム特性は，生成される電子アルバムに含まれる画像の数の多少，大きな画像の数の多少などを規定するものである。アルバム特性には，「大画像重視」，「画像数重視」，「スタンダード」などがある。「大画像重視」は，大きな画像貼付領域が比較的多い電子アルバムを生成するときにユーザによって選択される。「画像数重視」は，画像貼付領域が比較的多い電子アルバムを生成するときにユーザによって選択される。「スタンダード」は，画像貼付領域の大きさも数も比較的平均的と考えられる電子アルバムを生成するときにユーザによって選択される。
【００３８】
表示装置３の表示画面50には「大画像重視」の文字が表されているボタンＢ11，「画像数重視」の文字が表されているボタンＢ12および「スタンダード」の文字が表されているボタンＢ13が表示されている。ユーザは，ボタンＢ11からＢ13のうち，いずれかのボタンを，入力装置９を用いてクリックすることにより，そのクリックしたボタンによって特定されるアルバム特性を選択する(図４ステップ34)。たとえば，ボタンＢ13がクリックされ，「スタンダード」のアルバム特性が選択されたものとする。
【００３９】
アルバムテーマおよびアルバム特性が選択されると，電子アルバムテンプレート選択システム１のＨＤ11に格納されている多数の電子アルバムテンプレートの中から，選択されたアルバムテーマおよびアルバム特性をもつ複数の電子アルバムテンプレート(たとえば，10個の電子アルバムテンプレート)が読み取られ，メモリ４に一時的に記憶される。この実施例では，同一のアルバムテーマおよびアルバム特性をもつ複数の電子アルバムテンプレートは，ページテンプレートの数が同じである。この実施例では，アルバムテーマが「結婚式」であり，かつアルバム特性が「スタンダード」の場合には，図２に示したようにページテンプレートの数は３である。もっとも，同一のアルバムテーマおよびアルバム特性をもつ複数の電子アルバムテンプレートのページテンプレートの数は同じでなくともよい。
【００４０】
アルバムテーマおよびアルバム特性が選択されると，電子アルバムテンプレート選択システム１に読み取られた画像が，画像の撮影順にしたがって，複数のページテンプレートの数に対応する複数のグループにＣＰＵ２によって分類される(ステップ35)。この実施例では，選択されたアルバムテーマをもつ電子アルバムテンプレートは３つのページテンプレートから構成されるから，電子アルバムテンプレート選択システム１に読み取られた画像が撮影順に３つのグループに分けられる。
【００４１】
図10は，画像が３つのグループに分けられる様子を示している。
【００４２】
電子アルバムテンプレート選択システム１には，画像Ｉ1から画像Ｉ50の50枚の画像が読み取られたものとする。この読み取られた50枚の画像Ｉ１からＩ50が画像グループＧとして表されている。画像を表す画像ファイルのヘッダには撮影日時を表す情報が格納されているから，その情報を用いて画像Ｉ１から画像Ｉ50がページテンプレートの数に対応した３つの画像グループＧ１，Ｇ２およびＧ３にＣＰＵ２によって分けられる。たとえば，画像Ｉ１からＩ15が第１の画像グループＧ１とされ，画像Ｉ16から画像Ｉ40が画像グループＧ２とされ，画像Ｉ41から画像Ｉ50が画像グループＧ３とされる。画像グループＧ１に含まれる画像Ｉ１から画像Ｉ15の撮影日時は，画像グループＧ２に含まれる画像Ｉ16から画像Ｉ40の撮影日時よりも古い。また，画像グループＧ２に含まれる画像Ｉ16から画像Ｉ40の撮影日時は，画像グループＧ３に含まれる画像Ｉ41から画像Ｉ50の撮影日時よりも古い。撮影日時の情報は，画像ファイルのヘッダに格納されていなくともよく，テーブルなどにより管理されていてもよい。また，撮影日時の情報が存在しない場合には，画像解析により，画像の撮影時期を判定し，その判定結果に応じて画像の撮影順を決定するようにしてもよい。
【００４３】
もっとも，撮影日時順に画像をページテンプレートの数に対応したグループに分けなくも良いし，そもそも画像をページテンプレートの数に対応したグループに分けなくともよい。電子アルバムテンプレートのページ順と画像の撮影順とを一致させて画像貼付領域に画像を貼り付けることが好ましいが，必ずしもそのように画像を貼り付けなくともよい。
【００４４】
選択されたアルバムテーマおよびアルバム特性をもつ複数の電子アルバムテンプレートのうち，第１番目の電子アルバムテンプレートの第１番目のページテンプレートに含まれる複数の画像貼付領域に，画像グループＧ１に含まれる画像Ｉ１からＩ50が順番に貼り付けられる。画像の属性と画像が貼り付けられた画像貼付領域の属性との一致度がＣＰＵ２(属性一致度算出手段)によって算出される(ステップ36)。たとえば，第１番目の電子アルバムテンプレートが図２に示す電子アルバムテンプレート20の場合，第１番目のページテンプレート21に含まれる画像貼付領域Ａ11からＡ17に，画像と画像貼付領域との組み合わせが変更させられて画像が貼り付けられ，画像の属性と画像貼付領域Ａ11からＡ17の属性とが算出される。たとえば，画像貼付領域Ａ11に画像Ｉ１が貼り付けられ，画像貼付領域Ａ11の属性と画像Ｉ１との属性との一致度がＣＰＵ２によって算出される。次に画像貼付領域Ａ11に次の画像Ｉ２が貼り付けられ，画像貼付領域Ａ11の属性と画像Ｉ2との属性の一致度がＣＰＵ２によって算出される。このように，画像貼付領域と画像との組み合わせが変更させられながら，画像貼付領域の属性と画像の属性との一致度が算出される。画像貼付領域Ａ11だけでなく，他の画像貼付領域Ａ12からＡ17についても貼り付けられる画像の組み合わせが変更させられながら画像貼付領域の属性と画像の属性との一致度がＣＰＵによって算出される。
【００４５】
図11は，算出された一致度を示す属性一致度テーブルの一例である。
【００４６】
図11に示す属性一致度テーブルは，図２に示す電子アルバムテンプレート20についてのものである。属性一致度テーブルは，ユーザによって選択されたアルバムテーマおよびアルバム特性に対応した複数の電子アルバムテンプレートごとに生成される。
【００４７】
属性一致度テーブルは，メモリ４に格納される。属性一致度テーブルには，ページテンプレートに含まれる画像貼付領域ごとに，画像貼付領域の属性と画像の属性との一致度が格納されている。たとえば，画像貼付領域Ａ11の属性との一致度は，画像Ｉ１は95％，画像Ｉ２は85％，画像Ｉ３は50％，画像Ｉ４は50％，画像Ｉ５は45％，画像Ｉ６は50％，画像Ｉ７は40％，画像Ｉ８は40％である。画像グループＧ１に含まれるその他の画像Ｉ９から画像Ｉ15の属性についても画像貼付領域Ａ11の属性との一致度が算出され，属性一致度テーブルに格納される。同様に，ページテンプレート21に含まれる他の画像貼付領域Ａ12からＡ17の属性についても画像Ｉ１から画像Ｉ15のそれぞれの属性との一致度が算出され，属性一致度テーブルに格納される。また，ページテンプレート22に含まれる画像貼付領域Ａ21からＡ32の属性についても，画像グループＧ２に含まれる画像Ｉ16から画像Ｉ40のそれぞれの属性との一致度が算出され，属性一致度テーブルに格納される。さらに，ページテンプレート23に含まれる画像貼付領域Ａ41からＡ45の属性についても，画像グループＧ３に含まれる画像Ｉ41から画像Ｉ50のそれぞれの属性との一致度が算出され，属性一致度テーブルに格納される。
【００４８】
図10に示すように画像Ｉ１から画像Ｉ50がグループ分けされていない場合には，画像貼付領域Ａ11からＡ45の属性と画像Ｉ１から画像Ｉ50のそれぞれの属性との一致度が算出されることとなる。画像貼付領域Ａ11からＡ45のそれぞれごとに，画像Ｉ１から画像Ｉ50の属性との一致度が算出され，属性一致度テーブルに格納されることとなる。属性の一致度は，画像の画質が高いほど高くなるようにしてもよい。高い画質の画像が電子アルバムに利用されるようになる。
【００４９】
一致度が算出されると，ページテンプレート21，22および23ごとに異なる画像貼付領域に異なる画像が貼り付けられた場合における電子アルバムテンプレート20全体についての一致度の総和がＣＰＵ２によって算出される(図５ステップ37)。
【００５０】
ユーザによって選択されたアルバムテーマおよびアルバム特性をもち，かつ一致度の総和が算出されていない電子アルバムテンプレートがあれば(図５ステップ38でＹＥＳ)，その電子アルバムテンプレートについて画像貼付領域の属性と画像の属性との一致度が算出され(図４ステップ36)，複数の電子アルバムテンプレート全体についての一致度の総和がＣＰＵ２(算出処理制御手段)によって算出される(図５ステップ37)。
【００５１】
ユーザによって選択されたアルバムテーマおよびアルバム特性をもつ電子アルバムテンプレートのうち，一致度の総和の大きい３つの(１つでも２つ以上でもよい)電子アルバムテンプレートがＣＰＵ２(電子アルバムテンプレート選択手段)によって選択される(ステップ39)。選択された３つの電子アルバムテンプレートの表紙が，表示装置３の表示画面50に表示される。
【００５２】
図12は，表示装置３の表示画面50に表示される電子アルバムテンプレート指定画面の一例である。
【００５３】
電子アルバムテンプレート指定画面には，ＣＰＵ２によって選択された３の電子アルバムテンプレートの表紙51，52および53が表示されている。これらの表紙51，52および53のうち，いずれかの表紙が入力装置９によってクリックされると，クリックされた表紙の電子アルバムテンプレートの中身が，画像貼付領域に画像が貼り付けられた状態で表示画面50に表示される。画像が貼り付けられた様子を確認して表紙51，52および53のうち少なくとも一つが入力装置９(電子アルバムテンプレート指定手段)によって指定されると，ユーザによる電子アルバムテンプレートの指定となる(図５ステップ41)。たとえば，ユーザによって表紙51の電子アルバムテンプレートが指定されたものとする。
【００５４】
ユーザにより電子アルバムテンプレートが指定されると，表示装置３の表示画面50にはデコレーション選択画面が表示される(図６ステップ42)。
【００５５】
図13は，デコレーション選択画面の一例である。
【００５６】
デコレーション選択画面には，ユーザによって指定された画像アルバムテンプレートの表紙51のほかに，デコレーション１からデコレーション５までの文字(装飾様式)が表されているボタン61から65(装飾様式表示手段)が表示されている。これらのボタン61から65は，指定された表紙51の電子アルバムテンプレート20に対応する装飾を行うデコレーションを指定するものである。ボタン61から65のそれぞれに対応する装飾様式が規定されており，ボタン61から65のうちのいずれかのボタンが入力装置９(装飾様式受付手段)によってクリックされることにより，装飾様式の指定が行われる(ステップ43)。クリックされたボタンに対応する装飾様式が電子アルバムテンプレート選択システム１によって受け付けられる。受け付けられた装飾様式での装飾がＣＰＵ２(装飾手段)によって，指定された表紙51の電子アルバムテンプレート20に実施される(ステップ44)。このようにして電子アルバムテンプレートが選択され，かつ装飾様式が指定されて電子アルバムテンプレートに画像が貼り付けられて，電子アルバムが生成される。
【００５７】
図14は，生成された電子アルバムの一例である。
【００５８】
電子アルバムは，電子アルバムテンプレート20が利用されている。電子アルバムテンプレート20には，一致度の総和が高くなるような組み合わせで，画像貼付領域Ａ１からＡ45のそれぞれに画像Ｉ１から画像Ｉ50のうちのいずれかの画像が貼付されている。一致度の総和は電子アルバムテンプレート20の全体として高くなるように算出されているから，ページテンプレート21，22または23の個々のページテンプレートと画像とのバランスを考慮するのではなく，電子アルバムテンプレート20の全体として画像とのバランスが良くなるように電子アルバムテンプレート20が選択されるようになる。さらに，電子アルバムテンプレート20には，ユーザによって指定された装飾様式で吹き出し71および75ならびにハートマーク72，73および74の装飾が施されている。
【符号の説明】
【００５９】
１  電子アルバムテンプレート選択システム
２  ＣＰＵ(属性一致度算出手段，算出処理制御手段，電子アルバムテンプレート選択手段，装飾手段)
９  入力装置(電子アルバムテンプレート指定手段，装飾様式受付手段)
61−65  ボタン(装飾様式表示手段)
【図１】
2017058996.tif 000003
【図２】
2017058996.tif 000004
【図３】
2017058996.tif 000005
【図４】
2017058996.tif 000006
【図５】
2017058996.tif 000007
【図６】
2017058996.tif 000008
【図７】
2017058996.tif 000009
【図８】
2017058996.tif 000010
【図９】
2017058996.tif 000011
【図１０】
2017058996.tif 000012
【図１１】
2017058996.tif 000013
【図１２】
2017058996.tif 000014
【図１３】
2017058996.tif 000015
【図１４】
2017058996.tif 000016